(57)【特許請求の範囲】
【請求項１】
自動販売機の外扉に画成したディスプレイ室内に設置して商品見本を展示するディスプレイ装置であり、商品見本を搭載したステージ状のディスプレイ台をディスプレイ室の背面扉の扉板に固定した左右一対のブラケットの間に跨って載置支持したものにおいて、ディスプレイ台の左右側壁に支持軸を装着するとともに、ブラケットにはその板面に前記支持軸を着脱可能に嵌入支持する異形溝を形成し、該異形溝に支持軸を嵌め込んだ状態でディスプレイ台を展示位置に拘束するとともに、当該展示位置から前傾姿勢に傾動させるメンテナンス位置へ移動可能に支持するように構成し、前記支持軸の軸部にはその一部を切欠いて平坦面が形成され、前記ディスプレイ台が展示位置にある状態で、前記支持軸の平坦面が異形溝に当接して拘束されるようにしたことを特徴とする自動販売機のディスプレイ装置。
【請求項２】
請求項１記載のディスプレイ装置において、ブラケットの板面に形成した異形溝が、支持軸を回転可能に支える前半域の円弧状溝部と、ディスプレイ台を略水平姿勢に保持して支持軸を展示位置に移動，拘束する後半域のスライド溝部と、前記円弧状溝部とスライド溝部との中間からブラケットの上縁に切欠き開口した支持軸挿脱溝部とからなることを特徴とする自動販売機のディスプレイ装置。
【発明の詳細な説明】
【０００１】
【発明の属する技術分野】
本発明は自動販売機の外扉に設けたディスプレイ装置に関する。
【０００２】
【従来の技術】
頭記した自動販売機のディスプレイ装置として、商品見本（ダミー缶など）を左右一列に並べて搭載した横長なディスプレイ台を、照明用蛍光灯と組合せて自動販売機の外扉に画成したディスプレイ室内に上下段に並べて配置し、その前方に商品見本と個々に対応する商品選択ボタンを配備したものが公知である。
【０００３】
図３はかかるディスプレイ装置を備えた自動販売機の正面図であり、図において、１は自動販売機のキャビネット、２はその前面外扉、３は外扉２に画成したディスプレイ室、４は商品取出口であり、ディスプレイ室３には透明なフロントパネルに設置した商品選択ボタン５と対応して商品見本６を搭載したステージ状の横長なディスプレイ台７が上下段に組み込まれ、図４(a) に示すようにディスプレイ室３の背面扉８の扉板上に取付けた左右一対のブラケット９の間に跨がって載置支持されている。なお、図４(a) において１０は蛍光灯、１０ａは蛍光灯１０の接続配線である。
【０００４】
ここで、前記ディスプレイ台７の取付け構造に関して、ディスプレイ室３の室内，蛍光灯１０の清掃，および商品見本６の交換などのメンテナンス作業性を考慮してディスプレイ台７をブラケット９に着脱，および前方へ傾動可能に支持したディスプレイ装置が本発明と同一出願人より特開平１０−７９０７９号として提案され、自動販売機の製品に採用，実施されている。
【０００５】
【発明が解決しようとする課題】
ところで、前記提案（特開平１０−７９０７９号）になるディスプレイ装置、特にそのディスプレイ台取付け構造では、その取扱い面などで次に記すような難点がある。
【０００６】
すなわち、ディスプレイ台７をブラケット９の上に載置して展示位置（水平姿勢）にセットした状態では、ディスプレイ台７はその位置に固定されてなく、ディスプレイ台自身の自重で展示位置を保っているに過ぎない。そのために、自動販売機の運搬などで振動，揺れが加わると、ディスプレイ台７が展示位置から前方に転倒したり、ブラケット９から脱落するおそれがある。
そこで、従来では工場出荷時に粘着テープを使ってディスプレイ台７をブラケット９に貼り止めして展示位置から動かないようにしているのが現状である。
【０００７】
しかしながら、粘着テープによる固定方法では、自動販売機のロケーション先で行うディスプレイ室３の清掃などのメンテナンス時に、ディスプレイ７を前傾姿勢に傾ける，あるいはブラケット９から取り外す際にはディスプレイ台７を展示位置に止めてている粘着テープを剥がし、メンテナンス作業の終了後は再びテープを貼り直す必要があり、その作業が面倒である。
【０００８】
さらに、粘着テープは貼り直しを繰り返すと接着力が低下して自然に剥離することがあり、このような状態を放置しておくとディスプレイ台７が振動などにより不測に転倒，脱落するおそれがあるほか、剥がれたテープがディスプレイ室内に垂れ下がって見苦しくなる。
【０００９】
本発明は上記の点に鑑みなされたものであり、その目的は前記課題を解決し、粘着テープなど使わずにディスプレイ台をブラケットに対して着脱可能に装着し、かつ装着状態でディスプレイ台を前傾姿勢に傾動したり、展示位置にスライドして水平姿勢に拘束保持できるようにその取付け構造を改良した自動販売機のディスプレイ装置を提供することにある。
【００１０】
【課題を解決するための手段】
上記目的を達成するために、本発明によれば、自動販売機の外扉に画成したディスプレイ室内に設置して商品見本を展示するディスプレイ装置であり、商品見本を搭載したステージ状のディスプレイ台をディスプレイ室の背面扉の扉板に固定した左右一対のブラケットの間に跨って載置支持したものにおいて、ディスプレイ台の左右側壁に支持軸を装着するとともに、ブラケットにはその板面に前記支持軸を着脱可能に嵌入支持する異形溝を形成し、該異形溝に支持軸を嵌め込んだ状態でディスプレイ台を展示位置に拘束するとともに、当該展示位置から前傾姿勢に傾動させるメンテナンス位置へ移動可能に支持するように構成し、前記支持軸の軸部にはその一部を切欠いて平坦面が形成され、前記ディスプレイ台が展示位置にある状態で、前記支持軸の平坦面が異形溝に当接して拘束されるようにしたことを特徴とする（請求項１）。
【００１２】
また、前記ブラケットの板面に形成した異形溝が、支持軸を回転可能に支える前半域の円弧状溝部と、ディスプレイ台を略水平姿勢に保持して支持軸を展示位置に移動，拘束する後半域のスライド溝部と、前記円弧状溝部とスライド溝部との中間からブラケットの上縁に切欠き開口した支持軸挿脱溝部とからなる（請求項２）。
【００１３】
前記の構成によれば、ディスプレイ台をブラケットから取り外せることは勿論のこと、ディスプレイ台をブラケットに装着した状態で支持軸をブラケットの異形溝に沿って前後に移動することにより、ディスプレイ台をメンテナンス位置で前傾姿勢に傾動させたり、展示位置にスライドして水平姿勢に拘束保持させることができ、さらに展示位置では粘着テープを使わずにディスプレイ台を係止支持することができて、メンテナンス時の取扱性が向上する。
【００１４】
【発明の実施の形態】
以下、本発明の実施の形態を図示実施例に基づいて説明するものとし、先ずその概要について述べる。
すなわち、図示実施例のディスプレイ装置では、商品見本６を搭載したステージ状になるディスプレイ台７に対し、その取付け部品としてディスプレイ台７の左右側壁に図６(a) 〜(c) に示す樹脂成形品の支持軸１１を組付けた上で、該支持軸１１を介して図４(a) のようにディスプレイ室の背面扉８に設置した左右一対のブラケット９に跨がって装着し、この状態で図１(a) 〜(e) で表す操作手順によりディスプレイ台７の取り外し、メンテナンス位置への移動，傾動、および展示位置への移動，拘束支持を行うものとする。
【００１５】
次に、前記各部品について個々にその詳細構造を説明する。
▲１▼ディスプレイ台の支持軸；
ディスプレイ台７の左右側壁に装着する支持軸１１は、図６(a) 〜(c) で示すようにフランジ部１１ａと、フランジ部１１ａから側方に突き出た軸部１１ｂを一体成形した樹脂成形品としてなる。ここで、フランジ部１１ａにはその上下に突き出した腕部の先端にディスプレイ台７の側壁に開けた爪穴と係合し合う係合爪１１ａ-1が形成されている。また、軸部１１ｂはその上面側の周面一部を切欠して該部を平坦面とした断面円弧状の筒状体であり、前記切欠部を挟んでその両側には軸部の先端から根元部に向けて棒状に延在する腕部１１ｂ-1を形成した異形の形状になり、図５(a),(b) で示すように組立状態ではディスプレイ台７の左右側壁７ａに開口した穴に軸部１１ｂを内方に突き出すようにして組付けられている。
【００１６】
▲２▼ブラケット；
一方、ディスプレイ台７を載置支持するブラケット９は鋼板の板金加工品としてなり、図７(a) 〜(c) で示すように、その板面には前記した支持軸１１を嵌挿支持するガイド溝として図示のような異形溝９ａが形成されている。また、ブラケット９の上縁にはガイド片９ｂがＬ字形に突き出しており、さらに後端面にはディスプレイ室の背面扉８（図４参照）に開けた角穴に引っ掛けてブラケット９を定位置に固定する係合爪９ｃが切り起こし形成されている。
【００１７】
ここで、異形溝９ａは、前記の支持軸１１を回転可能に受け支える前半域の円弧状溝部９ａ-1と、該円弧状溝部９ａ-1に連ねて後半域に形成したスライド溝部９ａ-2と、溝部９ａ-1と９ａ-2との中間位置からブラケット９の上縁との間に切欠き開口した支持軸の挿脱溝部９ａ-3とを組合せた形状になる。また、前記のスライド溝部９ａ-2は、その溝幅ｄが図６に示した支持軸１１の軸部１１ｂの高さｈ（軸部の底面から切欠平坦面までの寸法）に合わせて設定されている。
【００１８】
また、ブラケット９の上縁に沿って側方に張出し形成したガイド片９ｂは、前記した挿脱溝部９ａ-3の開口部分で前後に二分され、かつその後部側にはその突き出し幅を狭めて後記のようにディスプレイ台７に形成したストッパが嵌まり込んでディスプレイ台を展示位置に拘束保持するための係合段部９ｂ-1が形成されている。
【００１９】
▲３▼ディスプレイ台；
一方、ディスプレイ７は基本的に従来のものと同じ構造であるが、図示実施例では図５(a),(b) で示すように、左右両端の後部部分には、展示位置で前記したブラケット９に対してそのガイド片９ｂに形成した係合段部９ｂ-1に係合し合う突起状のストッパ７ｂが裏側に押し出し形成されている。なお、７ｃは商品見本６（図３参照）の取付穴である。
【００２０】
次に、前記各部品を組合せた上で、ブラケット９にディスプレイ台７を取付ける際の装着手順，およびメンテナンス時におけるディスプレイ台７を展示位置から移動する操作手順について説明する。
【００２１】
最初にディスプレイ台７をブラケット９に組合せた定常な組立状態を図５（ａ），（ｂ）に示す。この組立状態では、ディスプレイ台７の側壁７ａに装着した支持軸１１の軸部１１ｂ(図６参照)がブラケット９の異形溝９ａのスライド溝部９ａ-2（図７参照）に嵌まり込んでおり、さらにディスプレイ台７に形成したストッパ７ｂがブラケット９の上縁ガイド片９ｂに形成した係合段部９ｂ-1（図７参照）に落ち込んでこの位置に係止保持されている。したがって、ブラケット９に対してディスプレイ台７は水平姿勢に拘束支持され、かつストッパ７ｂの係合により前方への移動も阻止されている。
【００２２】
次に、外部から持ち込んだディスプレイ台７をディスプレイ室内の展示位置にセットする場合の手順，並びにメンテナンス時にディスプレイ台７を展示位置からメンテナンス位置に移動，ないしブラケット９から取り外す取扱手順を具体的に図１(a) 〜(e) ，および図２(a) 〜(c) で説明する。なお、図２(a),(b),(c) はそれぞれ図１(a),(c),(d) に対応する拡大図である。
【００２３】
外部から持ち込んだディスプレイ台７を展示位置にセットするには、図１（ａ）のようにディスプレイ台７に装着した支持軸１１の軸部１１ｂ(図６参照)をディスプレイ室の背面壁８に設置されているブラケット９に対し、その上縁に開口している挿脱溝部９ａ-3（図７参照）を通じて上方から異形溝９の中に嵌入し図１（ｂ）の姿勢に整える。続いてディスプレイ台７を図１（ｄ）のように後方に押し込み、異形溝９ａに沿って支持軸１１の軸部１１ｂをスライド溝部９ａ-2に移動させ、その終端位置でディスプレイ台７に形成したストッパ７ｂをブラケット９の上縁ガイド片９ｂに形成した係合段部９ｂ-1に落とし込んで図１（ｅ）の展示位置にセットしてこの位置に係止固定する。
【００２４】
一方、メンテナンス時にディスプレイ台７を展示位置から引出して商品見本６を前傾姿勢に倒す場合には、図１（ｅ）の位置からディスプレイ台７の後部を若干持ち上げてストッパ７ｂとブラケット９の係合段部９ｂ-1との係合状態を解除した上で、前記とは逆に前方に引出し、支持軸１１の軸部１１ｂを図１（ｄ）のようにブラケット９の異形溝９ａ内でスライド溝部９ａ-2から前方の円弧状溝部９ａ-1へ移動して図１（ｂ）の状態にする。これにより、支持軸１１を揺動支点として図１（ｃ）で示すようにディスプレイ台７を前傾姿勢に倒し、この状態で背面壁８の清掃，商品見本６の差し替えなどのメンテナンス作業を行う。
【００２５】
さらに、ディスプレイ台７をブラケット９から取り外すには、図１(e）の展示位置から一旦図１(b) の位置に移動した後に、ディスプレイ台７を上方に持ち上げる。これにより、支持軸１１の軸部１１ｂがブラケット９の上縁に開口した異形溝９ａの挿脱溝部９ａ-3をすり抜けてディスプレイ台７をブラケット９から取り外すことができる。
【００２６】
【発明の効果】
以上述べたように、本発明の構成によれば、自動販売機の前面外扉に画成したディスプレイ室内に組み込んでブラケットに載置支持したディスプレイ台について、ディスプレイ室，ディスプレイ台の清掃，商品見本，蛍光灯の交換などのメンテナンスを行う際に、従来装置のようにねじ操作，粘着テーブの張り替えなどの面倒な作業を一切必要とせずに、ディスプレイ台を展示位置からメンテナンス位置に移動して前傾姿勢に倒したり、あるいはディスプレイ室から外部に取り出す作業を簡単に行うことができてメンテナンス作業時の取扱い操作が簡易化される。しかも、ディスプレイ台を展示位置にセットした状態では、支持軸がブラケットの異形溝に拘束されてディスプレイ台を水平姿勢に保持でき、自動販売機の輸送時に揺れ，振動が加わっても不測にディスプレイ台が展示位置から動いたり，ブラケットから脱落するといったトラブルを防止でき、実用的価値の高いディスプレイ装置を提供することができる。
【図面の簡単な説明】
【図１】本発明の実施例に係わるディスプレイ装置のディスプレイ台をブラケットに対して挿脱，展示位置，メンテナンス位置に移動する際の操作手順を表した説明図であり、(a) 〜(e) はそれぞれ異なる状態を表したディスプレイ台の側面図
【図２】図１における各状態の詳細図であり、(a),(b),(c) はそれぞれ図１(a),(c),(d) に対応する拡大図
【図３】本発明のディスプレイ装置を装備した自動販売機の全体正面図
【図４】図３におけるディスプレイ室の背面扉にディスプレイ台のブラケットを装着した状態を表す図であり、(a) は正面図、(b) は側面図
【図５】本発明の実施例によるディスプレイ台とブラケットを組合せたディスプレイ装置の組立構造図であり、(a) は側面図、(b) は要部の平面図
【図６】図５における支持軸の構成図であり、(a) 〜(c) はそれぞれ正面図，平面図，および側面図
【図７】図５におけるブラケットの構成図であり、(a) 〜(c) はそれぞれ正面図，平面図，および側面図
【符号の説明】
２    外扉
３    ディスプレイ室
６    商品見本
７    ディスプレイ台
７ａ  側壁
７ｂ  ストッパ
８    ディスプレイ室の背面扉
９    ブラケット
９ａ  異形溝
９ａ-1  円弧状溝部
９ａ-2  スライド溝部
９ａ-3  挿脱溝部
９ｂ  ガイド片
９ｂ-1  係合段部
９ｃ    係合爪
１１      支持軸
１１ａ    フランジ部
１１ａ-1  係合爪
１１ｂ    軸部
【図１】
0003644301.tif 000002
【図２】
0003644301.tif 000003
【図３】
0003644301.tif 000004
【図４】
0003644301.tif 000005
【図５】
0003644301.tif 000006
【図６】
0003644301.tif 000007
【図７】
0003644301.tif 000008